(57)【要約】  超薄型に製造可能な同軸ケーブルコネクタが紹介される。本発明の同軸ケーブルコネクタは、信号ピン；前記信号ピンが結合された誘電体；前記信号ピンの一側と電気的に連結されるコネクタと結合される第１胴体；および前記第１胴体から延長形成され、前記信号ピンの他側と電気的に連結されるケーブルと結合される第２胴体を含み、前記第２胴体は前記誘電体を固定する固定部を含み、前記誘電体は前記固定部に対応する被固定部を含む。
2019514161.tif 000002
【特許請求の範囲】
【請求項１】
信号ピン；
前記信号ピンが結合された誘電体；
前記信号ピンの一側と電気的に連結されるコネクタと結合される第１胴体；および
前記第１胴体から延長形成され、前記信号ピンの他側と電気的に連結されるケーブルと結合される第２胴体を含み、
前記第２胴体は前記誘電体を固定する固定部を含み、
前記誘電体は前記固定部に対応する被固定部を含む、同軸ケーブルコネクタ。
【請求項２】
前記第１胴体は、
他側が開放されたリング状の第１本体部と、前記第１本体部の他側から延長形成された第１延長部を含み、
前記第２胴体は、
前記第１本体部と対応する第２本体部と、前記第２本体部の他側から延長形成され、前記第１延長部と対応する第２延長部を含み、
前記誘電体は、
前記第１本体部および第２本体部に対応して形成され、前記第１本体部および第２本体部により形成された空間に収容される第３本体部と、前記第１延長部および第２延長部に対応し、前記第３本体部から延長形成された第３延長部を含む、請求項１に記載の同軸ケーブルコネクタ。
【請求項３】
前記第３延長部は、
前記第３本体部の外周面に突出形成された連結ブラケットと、前記連結ブラケットから延長形成されて前記信号ピンの他側を支持する第３ブラケットと、前記連結ブラケットから前記信号ピンの他側方向に折り畳まれ、前記第３ブラケットに結合可能に延長形成された蓋を含み、
前記第２延長部は、
前記第２本体部から水平方向に延長形成された延長平面部と、前記延長平面部の両側から垂直方向に延長形成された一対の第２ブラケットと、前記一対の第２ブラケットの一端から延長形成されて前記蓋を加圧する一対のメイン固定片を含む、請求項２に記載の同軸ケーブルコネクタ。
【請求項４】
前記第１延長部は、
前記第１本体部の他側から延長形成された第１ブラケットと、前記第１ブラケットから延長形成されて前記蓋およびメイン固定片の間に位置して前記蓋の平面を加圧する舌片部を含む、請求項３に記載の同軸ケーブルコネクタ。
【請求項５】
外部信号を遮蔽できるように前記舌片部は互いに向き合う前記一対のメイン固定片の間に位置する、請求項４に記載の同軸ケーブルコネクタ。
【請求項６】
前記舌片部には、幅方向に加圧部が形成される、請求項５に記載の同軸ケーブルコネクタ。
【請求項７】
前記第３ブラケットは、前記蓋が前記第３ブラケットに結合されることをガイドできるように両側から垂直方向に延長形成された一対の垂直ガイドをさらに含む、請求項３〜請求項６のいずれか一項に記載の同軸ケーブルコネクタ。
【請求項８】
前記固定部および被固定部はそれぞれ前記第２延長部および第３延長部に形成される、請求項２に記載の同軸ケーブルコネクタ。
【請求項９】
前記第２延長部は、
前記第２本体部から水平方向に延長形成された延長平面部と、前記延長平面部の両側から垂直方向に延長形成された一対の第２ブラケットを含み、
前記第３延長部は、
前記第３本体部の外周面に突出形成された連結ブラケットと、前記連結ブラケットから延長形成されて前記信号ピンの他側を支持する第３ブラケットを含み、
前記固定部および被固定部はそれぞれ第２ブラケットおよび第３ブラケットに形成される、請求項８に記載の同軸ケーブルコネクタ。
【請求項１０】
前記固定部は固定溝を含み、
前記被固定部は被固定突起を含む、請求項９に記載の同軸ケーブルコネクタ。
【請求項１１】
前記被固定部は被固定突起を含み、
前記固定部は前記被固定突起方向に突出形成された固定突起を含む、請求項９に記載の同軸ケーブルコネクタ。
【請求項１２】
前記第３延長部は、
前記第３本体部の外周面に突出形成された連結ブラケットを含み、
前記第１延長部は、
前記第１本体部の他側から延長形成された第１ブラケットを含み、
前記連結ブラケットには挿入突起が突出形成され、前記挿入突起が挿入されるように前記第１本体部および前記第１ブラケットの間には挿入ホールが形成される、請求項２に記載の同軸ケーブルコネクタ。
【請求項１３】
前記挿入突起の一側面は傾斜して形成される、請求項１２に記載の同軸ケーブルコネクタ。
【請求項１４】
前記第３本体部の外周面に形成されたガイド突起をさらに含み、
前記第２本体部は、
平面部と、前記平面部の両側から垂直方向に延長形成された垂直フランジと、前記ガイド突起が係止され得るように前記垂直フランジの一端から前記平面部の内側方向に折り曲げられて形成されたストッパーを含む、請求項２に記載の同軸ケーブルコネクタ。
【請求項１５】
前記ガイド突起は、
前記誘電体が前記第２胴体の一側方向に移動することを制限する第１ガイド突起と、前記誘電体が前記第２胴体の幅方向に移動することを制限する第２ガイド突起を含む、請求項１４に記載の同軸ケーブルコネクタ。
【請求項１６】
前記第１本体部の下端には前記ガイド突起が挿入されるガイド溝が形成される、請求項１５に記載の同軸ケーブルコネクタ。
【発明の詳細な説明】
【技術分野】
【０００１】
本発明は同軸ケーブルコネクタに関するものである。
【背景技術】
【０００２】
図１に図示された通り、従来の同軸ケーブルコネクタはケーブル結合ボディー１、コネクタ結合ボディー２、接続導体３が結合された誘電体４を含む。
【０００３】
接続導体３が結合された誘電体４はコネクタ結合ボディー２に装着され、ケーブル結合ボディー１を折り畳んでコネクタ結合ボディー２に結合することによって、同軸ケーブルコネクタが完成する。
【０００４】
本出願人は、前述した従来の同軸ケーブルコネクタの多様な問題点を認識し、本発明を着眼し、具体化したところ、従来のケーブルコネクタは下記のような問題点を有していた。
【０００５】
第１には、従来の同軸ケーブルコネクタは、コネクタ結合ボディー２に誘電体４を固定するための固定部が形成されており、コネクタ結合ボディー２の高さが高くなるため、同軸ケーブルコネクタの高さが高くならざるを得ないところ、超薄型に具現し難い短所が存在する。
【０００６】
第２には、従来の同軸ケーブルコネクタは誘電体４の固定力が弱いという短所が存在する。
【０００７】
第３には、同軸ケーブルの中心導体が外部に露出するため、外部信号の干渉を受ける短所が存在する。
【０００８】
第４には、誘電体４をコネクタ結合ボディー２に装着させたり、ケーブル結合ボディー１を折り畳んでコネクタ結合ボディー２に結合する場合、結合精度が低いため不良品が発生する短所が存在する。
【０００９】
前記した背景技術として説明された事項は、本発明の背景に対する理解を助けるためのものに過ぎず、この技術分野で通常の知識を有する者にすでに知られている従来技術に該当することを認めるわけではない。
【発明の概要】
【発明が解決しようとする課題】
【００１０】
本発明は超薄型に製造が可能であり、固定力が改善され、外部信号を遮蔽できることはもちろん、結合精度が改善された同軸ケーブルコネクタを提供することにその目的がある。
【課題を解決するための手段】
【００１１】
このような目的を達成するための本発明の同軸ケーブルコネクタは、信号ピン；前記信号ピンが結合された誘電体；前記信号ピンの一側と電気的に連結されるコネクタと結合される第１胴体；および前記第１胴体から延長形成され、前記信号ピンの他側と電気的に連結されるケーブルと結合される第２胴体を含み、前記第２胴体は前記誘電体を固定する固定部を含み、前記誘電体は前記固定部に対応する被固定部を含む。
【００１２】
前記第１胴体は、他側が開放されたリング状の第１本体部と、前記第１本体部の他側から延長形成された第１延長部を含み、前記第２胴体は、前記第１本体部と対応する第２本体部と、前記第２本体部の他側から延長形成され、前記第１延長部と対応する第２延長部を含み、前記誘電体は、前記第１本体部および第２本体部に対応して形成され、前記第１本体部および第２本体部により形成された空間に収容される第３本体部と、前記第１延長部および第２延長部に対応し、前記第３本体部から延長形成された第３延長部を含むことができる。
【００１３】
前記第３延長部は、前記第３本体部の外周面に突出形成された連結ブラケットと、前記連結ブラケットから延長形成されて前記信号ピンの他側を支持する第３ブラケットと、前記連結ブラケットから前記信号ピンの他側方向に折り畳まれ、前記第３ブラケットに結合可能に延長形成された蓋を含み、前記第２延長部は、前記第２本体部から水平方向に延長形成された延長平面部と、前記延長平面部の両側から垂直方向に延長形成された一対の第２ブラケットと、前記一対の第２ブラケットの一端から延長形成されて前記蓋を加圧する一対のメイン固定片を含むことができる。
【００１４】
前記第１延長部は、前記第１本体部の他側から延長形成された第１ブラケットと、前記第１ブラケットから延長形成されて前記蓋およびメイン固定片の間に位置して前記蓋の平面を加圧する舌片部を含むことができる。
【００１５】
外部信号を遮蔽できるように、前記舌片部は互いに向き合う前記一対のメイン固定片の間に位置することができる。
【００１６】
前記舌片部には、幅方向に加圧部が形成され得る。
【００１７】
前記第３ブラケットは、前記蓋が前記第３ブラケットに結合されることをガイドできるように、両側から垂直方向に延長形成された一対の垂直ガイドをさらに含むことができる。
【００１８】
前記固定部および被固定部はそれぞれ前記第２延長部および第３延長部に形成され得る。
【００１９】
前記第２延長部は、前記第２本体部から水平方向に延長形成された延長平面部と、前記延長平面部の両側から垂直方向に延長形成された一対の第２ブラケットを含み、前記第３延長部は、前記第３本体部の外周面に突出形成された連結ブラケットと、前記連結ブラケットから延長形成されて前記信号ピンの他側を支持する第３ブラケットを含み、前記固定部および被固定部はそれぞれ第２ブラケットおよび第３ブラケットに形成され得る。
【００２０】
前記固定部は固定溝を含み、前記被固定部は被固定突起を含むことができる。
【００２１】
前記被固定部は被固定突起を含み、前記固定部は前記被固定突起方向に突出形成された固定突起を含むことができる。
【００２２】
前記第３延長部は、前記第３本体部の外周面に突出形成された連結ブラケットを含み、前記第１延長部は、前記第１本体部の他側から延長形成された第１ブラケットを含み、前記連結ブラケットには挿入突起が突出形成され、前記挿入突起が挿入されるように前記第１本体部および前記第１ブラケットの間には挿入ホールが形成され得る。
【００２３】
前記挿入突起の一側面は傾斜して形成され得る。
【００２４】
前記第３本体部の外周面に形成されたガイド突起をさらに含み、前記第２本体部は、平面部と、前記平面部の両側から垂直方向に延長形成された垂直フランジと、前記ガイド突起が係止されるように前記垂直フランジの一端から前記平面部の内側方向に折り曲げられて形成されたストッパーを含むことができる。
【００２５】
前記ガイド突起は、前記誘電体が前記第２胴体の一側方向に移動することを制限する第１ガイド突起と、前記誘電体が前記第２胴体の幅方向に移動することを制限する第２ガイド突起を含むことができる。
【００２６】
前記第１本体部の下端には前記ガイド突起が挿入されるガイド溝が形成され得る。
【発明の効果】
【００２７】
本発明によると、下記のような多様な効果を実現することができる。
第１には、同軸ケーブルコネクタを超薄型に製造できる利点がある。
第２には、誘電体の結合が容易な利点がある。
第３には、同軸ケーブルの固定力および電気的連結が改善される利点がある。
第４には、外部信号を遮蔽できる利点がある。
第５には、結合精度が改善される利点がある。
【図面の簡単な説明】
【００２８】
【図１】従来の同軸ケーブルコネクタを示した図面である。
【図２】本発明の同軸ケーブルコネクタを示した図面である。
【図３】本発明の同軸ケーブルコネクタの結合状態を示した図面である。
【図４】図３の断面図である。
【図５】本発明の同軸ケーブルコネクタの固定部および被固定部の他の実施例を示した図面（（ａ）、（ｂ））である。
【図６】本発明の同軸ケーブルコネクタの平面図である。
【図７】本発明の同軸ケーブルコネクタの加圧部を示した図面（（ａ）、（ｂ））である。
【図８】本発明の同軸ケーブルコネクタの加圧部の他の実施例を示した図面（（ａ）、（ｂ））である。
【発明を実施するための形態】
【００２９】
本発明の目的、特定の長所および新規の特徴は、添付された図面と関連する以下の詳細な説明と実施例からさらに明白になるはずである。本明細書で各図面の構成要素に参照番号を付加するにおいて、同じ構成要素については、たとえ別の図面上に表示されてもできるだけ同一番号を有するようにしていることに留意しなければならない。また、第１、第２等の用語は多様な構成要素の説明に使用され得るが、前記構成要素は前記用語によって限定されてはならない。前記用語は一つの構成要素を他の構成要素から区別する目的でのみ使用される。また、本発明の説明において、関連した公知技術に関する具体的な説明が本発明の要旨を不要に曖昧にする恐れがあると判断される場合、その詳細な説明は省略する。
【００３０】
図２〜図４に図示された通り、本発明の同軸ケーブルコネクタは、信号ピンＰ、誘電体３００、第１胴体１００、第２胴体２００を含む。
【００３１】
第１胴体１００はコネクタと結合され、第２胴体２００はケーブル（Ｃ、図７の（ｂ）および図８の（ｂ）参照）と結合される。
【００３２】
第１胴体１００および第２胴体２００は互いに結合されてその内部に誘電体３００が収容される空間を形成する。
【００３３】
誘電体３００には信号ピンＰが結合され、信号ピンＰの一側はコネクタと電気的に連結され、信号ピンＰの他側はケーブル（Ｃ、図７の（ｂ）および図８の（ｂ）参照）と電気的に連結される。
【００３４】
第２胴体２００には誘電体を固定するための固定部２２４ａが形成されるところ、誘電体３００には固定部２２４ａに対応する被固定部３２４ａが形成される。
【００３５】
本発明の同軸ケーブルコネクタは第２胴体２００に誘電体３００を装着させ、固定部２２４ａを被固定部３２４ａに結合して固定した後、第１胴体１００を折り畳んで第２胴体２００と結合することによって製造されるところ、ケーブル（Ｃ、図７の（ｂ）および図８の（ｂ）参照）が結合される第２胴体２００に固定部２２４ａを形成し、誘電体３００に被固定部３２４ａを形成することによって、誘電体３００を第２胴体２００に固定することになるので、第１胴体１００の高さ特に、第１本体部１１０の高さが低くなり、同軸ケーブルコネクタを超薄型に実現することができる。
【００３６】
第１胴体１００は第１本体部１１０と第１延長部１２０を含み、第２胴体２００は第２本体部２１０と第２延長部２２０を含み、誘電体３００は第３本体部３１０と第３延長部３２０を含むことができる。
【００３７】
第１本体部１１０の一側と第２本体部２１０の一側は折り畳みできるように互いに連結される。
【００３８】
また、第１本体部１１０はその他側が開放されたリング状に形成され得、第１延長部１２０は第１本体部１１０の開放された他側から外側方向に延長形成される。第１本体部１１０の形状は、設計者の意図によりリング状以外にも多様な形状に変形され得る。
【００３９】
第２本体部２１０は前述した第１本体部１１０と対応する形状に形成されて、第１本体部１１０と共に誘電体３００の第３本体部３１０を収容できる空間を形成するところ、第１胴体１００および第２胴体２００の結合時に第１本体部１１０と結合される。
【００４０】
第２延長部２２０は第２本体部２１０の他側から延長形成され、前述した第１延長部１２０と対応できるように形成される。すなわち、第２延長部２２０および第１延長部１２０は誘電体３００の第３延長部３２０を収容できる空間を形成することになるのである。
【００４１】
誘電体３００は、第３本体部３１０と、第１延長部１２０および第２延長部２２０と対応できるように第３本体部３１０から延長形成された第３延長部３２０を含む。
【００４２】
前述した通り、第３本体部３１０は第１本体部１１０および第２本体部２１０の結合時に形成された内部空間に収容され、第３延長部３２０は第１延長部１２０および第２延長部２２０により形成される内部空間に収容される。
【００４３】
第３本体部３１０は第１本体部１１０に挿入され得るように略円の形状に形成され得、その形状は第１本体部１１０の形状変化にしたがって多様な形状に変更され得る。
【００４４】
一方、第３延長部３２０は連結ブラケット３２２と、第３ブラケット３２４、蓋３２６を含むことができ、第２延長部２２０は延長平面部２２２と、第２ブラケット２２４と、メイン固定片２２６を含むことができる。
【００４５】
連結ブラケット３２２は第３本体部３１０の外周面に突出形成され、第３ブラケット３２４は連結ブラケット３２２から延長形成されて信号ピンＰの他側を支持し、蓋３２６は信号ピンＰの他側方向に折り畳まれて第３ブラケット３２４に結合可能であるようにその一端が連結ブラケット３２２に結合される。すなわち、連結ブラケット３２２は、第１延長部１２０および第２延長部２２０により形成された内部空間に置かれる構成であって、このような連結ブラケット３２２から延長形成された第３ブラケット３２４上には信号ピンＰの他側が支持されるところ、蓋３２６は第３ブラケット３２４方向に折り畳まれ得るようにその一端が連結ブラケット３２２上に結合されるのである。
【００４６】
第２延長部２２０の延長平面部２２２は第２本体部２１０から水平方向に延びて形成される。
【００４７】
第２ブラケット２２４は、延長平面部２２２の両側から垂直方向にそれぞれ延長形成されて延長平面部２２２を中心として一対が設置され、メイン固定片２２６は第２ブラケット２２４の一端からそれぞれ延長形成される。
【００４８】
このようなメイン固定片２２６を折り畳んで、折り畳まれた状態の蓋３２６の平面を直接的に加圧することによって、従来の同軸ケーブルコネクタが誘電体を加圧して蓋を間接的に加圧するよりも同軸ケーブルの固定力および電気的連結を改善することができる。
【００４９】
一方、第１延長部１２０は第１本体部１１０の他側から延長形成された第１ブラケット１２２と、第１ブラケット１２２から延長形成された舌片部１２４を含むことができる。
【００５０】
舌片部１２４は、第１胴体１００、第２胴体２００および誘電体３００が最終結合された状態で、蓋３２６およびメイン固定片２２６の間に位置して蓋３２６の平面を加圧する機能をする。
【００５１】
また、このような舌片部１２４は、外部信号を遮蔽できるように最終結合状態で互いに向き合う一対のメイン固定片２２６の間に位置することが好ましい。
【００５２】
このように、本発明の同軸ケーブルコネクタはメイン固定片２２６が舌片部１２４を加圧し、舌片部１２４が蓋を加圧することによってケーブル（Ｃ、図７の（ｂ）および図８の（ｂ）参照）および誘電体３００をさらに堅固に固定できることはもちろん、一対のメイン固定片２２６の間に発生する微細な隙間に舌片部１２４が位置することによって、微細な隙間に流入する外部信号を遮蔽できるようになるのである。
【００５３】
本発明の同軸ケーブルコネクタは、蓋３２６が第３ブラケット３２４の正確な位置に結合され得るように第３ブラケット３２４の両側から垂直方向に延長形成された一対の垂直ガイド３２８をさらに含むことが好ましい。
【００５４】
このような一対の垂直ガイド３２８は、信号ピンＰの他側を支持する第３ブラケット３２４の両側から垂直方向に延長形成されて信号ピンＰが収納され得る空間を形成するだけでなく、蓋３２６を信号ピンＰの他側方向に折り畳むときに蓋３２６がガイドされ得るように案内する機能をするものである。
【００５５】
一方、図２〜図４に図示された通り、本発明の同軸ケーブルコネクタの固定部２２４ａおよび被固定部３２４ａはそれぞれ前述した第２延長部２２０および第３延長部３２０に形成される。
【００５６】
固定部２２４ａは第２延長部２２０の第２ブラケット２２４に形成され得、被固定部３２４ａは第３延長部３２０の第３ブラケット３２４に形成され得る。
【００５７】
また、固定部２２４ａは固定溝２２４ａを含み、被固定部３２４ａは被固定突起３２４ａを含むことができるところ、このような固定部２２４ａおよび被固定部３２４ａは設計者の意図によりその形状および形成位置を多様に変更することもできる。
【００５８】
図５の（ａ）および図５の（ｂ）に図示された通り、被固定部３２４ａは被固定突起３２４ａを含み、固定部２２４ａは被固定突起３２４ａの方向に突出形成された固定突起２２４ａを含むように構成されてもよい。
【００５９】
このように、固定部２２４ａと被固定部３２４ａを通じて誘電体３００を第２胴体２００に固定するので、第１胴体１００の高さ、特に、第１本体部１１０の高さが低くなり、同軸ケーブルコネクタを超薄型に実現し、ひいては誘電体３００を第２胴体２００に堅固に固定することができる。
【００６０】
図２に図示された通り、本発明の同軸ケーブルコネクタの第３延長部３２０は、第３本体部３１０の外周面に突出形成された連結ブラケット３２２を含み、第１延長部１２０は、第１本体部１１０の他側から延長形成された第１ブラケット１２２を含むことができるところ、連結ブラケット３２２の平面には挿入突起３２２ａが突出形成され、挿入突起３２２ａが挿入されるように第１本体部１１０および第１ブラケット１２２の間には挿入ホール１００ａが形成されることが好ましい。
【００６１】
このように、第１胴体１００を折り畳んで誘電体３００が装着された第２胴体に結合する時、挿入突起３２２ａは第１本体部１１０と第１ブラケット１２２の間に形成された挿入ホール１００ａに挿入されるところ、挿入突起３２２ａおよび挿入ホール１００ａは第１胴体１００と第２胴体２００の結合精度を改善させる。
【００６２】
また、前述した挿入突起３２２ａの一側面は傾斜して形成されることが好ましい。
【００６３】
このように、蓋３２６が垂直な状態で蓋３２６の上端との距離よりも蓋３２６の下端との距離が狭くなる形態に傾斜して形成することによって、挿入突起３２２ａが挿入ホール１００ａに正しく挿入されなくても挿入突起３２２ａの一端が挿入ホール１００ａに挿入されると、挿入突起３３２ａの傾斜した一側面が挿入ホール１００ａを形成する舌片部１２４の一側面に沿って挿入ホール１００ａに正しく挿入され得るようになる。
【００６４】
図２および図６に図示された通り、本発明の同軸ケーブルコネクタは第３本体部３１０外周面に形成されたガイド突起３１２をさらに含み、第２本体部２１０は、平面部２１２と、平面部２１２の両側から垂直方向に延長形成された垂直フランジ２１４と、ガイド突起３１２が係止され得るように垂直フランジ２１４の一端から平面部２１２の内側方向に折り曲げられて形成されたストッパー２１６を含むことが好ましい。
【００６５】
このように、ガイド突起３１２がストッパー２１６に係止されることによって第２胴体２００に結合された誘電体３００が移動することを制限することができる。
【００６６】
また、ガイド突起３１２は、誘電体３００が第２胴体２００の一側方向に移動することを制限する第１ガイド突起３１２ａと、誘電体３００が第２胴体２００の幅方向に移動することを制限する第２ガイド突起３１２ｂを含むことができる。
【００６７】
また、第１本体部１１０の下端にはガイド突起３１２が挿入されるガイド溝１１０ａが形成されることが好ましい。
【００６８】
このように、第１胴体１００を折り畳んで誘電体３００が装着された第２胴体に結合する時、ガイド突起３１２はガイド溝１１０ａに挿入されるところ、ガイド突起３１２およびガイド溝１１０ａは第１胴体１００と第２胴体２００の結合精度を改善させる。
【００６９】
一方、図７の（ａ）および図７の（ｂ）に図示された通り、本発明の同軸ケーブルコネクタの舌片部１２４には幅方向に加圧部１２４ａが形成され得る。
【００７０】
加圧部１２４ａは舌片部１２４の底面に突出形成されて蓋３２６の平面を加圧するが、その形状は三角状の断面を有するように形成されてもよく、図８の（ａ）および図８の（ｂ）に図示された通り、アーチ状の断面を有するように形成されてもよいところ、加圧部１２４ａの形状は設計者の意図により多様に変形されて形成され得る。
【００７１】
このような加圧部１２４ａは、蓋３２６の平面のうち同軸ケーブルの中心導体（Ｃ１）上に位置した部位の加圧力を高めてケーブル（Ｃ、図７の（ｂ）および図８の（ｂ）参照）の中心導体Ｃ１の固定力および電気的連結を改善させる。
【００７２】
本発明の同軸ケーブルコネクタはケーブル（Ｃ、図７の（ｂ）および図８の（ｂ）参照）を固定するために、メイン固定片２２６と別途に形成された補助固定片２３２をさらに含むことができるところ、このような補助固定片２３２は第２延長部２２０の終端から延長形成された補助延長部２３０に形成されることが好ましく、その形状は前述したメイン固定片２２６と対応する形状に形成されることが好ましい。
【００７３】
以上、本発明を具体的な実施例を通じて詳細に説明したが、これは本発明を具体的に説明するためのものであって、本発明に係る同軸ケーブルコネクタに限定されず、本発明の技術的思想内で当該分野の通常の知識を有する者によってその変形や改良ができることは言うまでもない。
【００７４】
本発明の単純な変形または変更はいずれも本発明の範囲に属するものであって、本発明の具体的な保護範囲は添付された特許請求の範囲によって明確となるはずである。
【図１】
2019514161.tif 000003
【図２】
2019514161.tif 000004
【図３】
2019514161.tif 000005
【図４】
2019514161.tif 000006
【図５（ａ）】
2019514161.tif 000007
【図５（ｂ）】
2019514161.tif 000008
【図６】
2019514161.tif 000009
【図７（ａ）】
2019514161.tif 000010
【図７（ｂ）】
2019514161.tif 000011
【図８（ａ）】
2019514161.tif 000012
【図８（ｂ）】
2019514161.tif 000013
【国際調査報告】
2019514161.tif 000014
2019514161.tif 000015
2019514161.tif 000016
2019514161.tif 000017